(57)【要約】【課題】  コンパクト化を維持しつつ、本体部に対して、表示画面の大きな表示部を提供する。【解決手段】  折畳み／展開可能式バリアングル機構付き表示手段と、前記表示手段のポジションを検出する検出手段を有し、前記検出手段で検出された前記表示手段のポジションにより、折り畳み状態では、表示画面を２分割し同一画像を両面に表示し、展開状態では、表示画面を分割せず表示領域全体に画像表示を行なうように表示方法を切り替える。【選択図】  図２
2009089328.tif 000002
【特許請求の範囲】
【請求項１】
撮像した静止画像及び或いは動画像を記録媒体に記録及び再生表示するデジタルカメラであって、
撮像手段と、画像処理手段と、記録手段と、制御手段と、操作手段と、折畳み／展開可能式バリアングル機構付き表示手段と、前記表示手段のポジションを検出する検出手段を有し、前記検出手段で検出された前記表示手段のポジションにより、表示方法を切り替えることを特徴とするデジタルカメラ。
【請求項２】
撮像した静止画像及び或いは動画像を記録媒体に記録及び再生表示するデジタルカメラであって、
撮像手段と、画像処理手段と、記録手段と、制御手段と、操作手段と、折畳み／展開可能式バリアングル機構付き表示手段と、前記表示手段のポジションを検出する検出手段を有し、前記検出手段で検出された前記表示手段のポジションにより、表示手段への駆動方法を切り替えることを特徴とする請求項１に記載のデジタルカメラ。
【請求項３】
前記検出手段は、表示手段の開閉検出、表示手段の折り畳み状態か展開状態検出、表示手段のアングルを検出することを特徴とする請求項１又は請求項２に記載のデジタルカメラ。
【請求項４】
前記表示手段は、前記検出手段の開閉検出が、閉状態で、折り畳み状態か展開状態検出が折り畳み状態を検出すると、表示手段の画面表示を２分割画面表示にし、片側を黒画像状態、もう一方を画像表示状態に表示方法と駆動方法を切り替えることを特徴とする請求項１又は請求項２に記載のデジタルカメラ。
【請求項５】
前記表示手段は、前記検出手段の開閉検出が、開状態で、折り畳み状態か展開状態検出が折り畳み状態を検出すると、表示手段の画面表示を２分割画面表示にし、分割された２画面に対し、同一画像表示状態に表示方法と駆動方法を切り替えることを特徴とする請求項１又は請求項２に記載のデジタルカメラ。
【請求項６】
前記表示手段は、前記検出手段の開閉検出が、開状態で、折り畳み状態か展開状態検出が展開状態を検出すると、１画面表示にし、表示領域に全域を画像表示状態に表示方法と駆動方法を切り替えることを特徴とする請求項１又は請求項２に記載のデジタルカメラ。
【請求項７】
前記表示手段は、前記２分割を行なった表示と前記1画面表示のアスペクト比をどちらか、一方のアスペクト比に合わせることを特徴とする請求項１又は請求項２に記載のデジタルカメラ。
【請求項８】
前記表示手段は、表示機能を備えた、電子ペーパであることを特徴とする請求項１又は請求項２に記載のデジタルカメラ。
【発明の詳細な説明】
【技術分野】
【０００１】
本発明は、液晶表示付きデジタルカメラに関し、特に折畳み／展開可能式バリアングル機構付き液晶表示機能を有するものに関する。
【背景技術】
【０００２】
従来、デジタルカメラにおいては、撮影時に撮影し易いようにデジタルカメラ本体のレンズ部の反対面に液晶表示部を設けていた。しかし、アングル撮影をする際、液晶表示部が本体背面に固定されているので、撮影者が撮影する画像を確認しないまま撮影を行っていた。その結果、撮影したものが、画描からはみ出したりしていた。そこで、バリアングル機構を有する液晶表示部が提案され、アングル撮影時には、バリアングル機構を用い本体から開いた状態で液晶表示部を回転させて液晶表示部を見ながら画描を合わせることで、撮影するものを確認しながら撮影できるようになった。
【０００３】
また、デジタルカメラは、携帯の利便性を考慮しコンパクト化の為、液晶表示部の大きさ制限されていた。しかしその一方で、より大画面で見やすい液晶表示部への要望が高く、従来より様々な液晶表示部の搭載技術が提案されている。
【０００４】
その一つとしては、例えば特許文献１に示される技術がある。同公報によれば、それぞれに液晶表示部を備えた複数の筐体を、折畳式のヒンジで結合する構成としている。使用時には表示部の折畳を開いて複数の表示画面を利用し、携行時には表示部の折畳を閉じて機器を小型化させる。また更には、ヒンジ部分にも表示部を備えて折畳を閉じた状態でも何らかの情報表示が可能な構成としている。これらの構成によって、装置の小型化を維持しつつも、より多くの表示画面を確保している。
【０００５】
また、近年折り曲げ可能な表示器として、表示機能を備えた電子ペーパーが提案されている。
【特許文献１】特開２００２−１６６８５号広報
【発明の開示】
【発明が解決しようとする課題】
【０００６】
しかしながら、上記従来の技術例では、バリアングル機構を有する液晶表示部をより見やすいように大画面の液晶表示部にすると携帯の利便性を考慮したコンパクト化が行えない。
【０００７】
また、上記、折畳式液晶表示部の場合、複数の液晶表示部と複数の液晶駆動・制御用回路が必要となり部品点数が増加してしまいコストアップになっていた。さらに、双方を組み合わせた場合でも撮影者側と被写体側の双方から撮影状態を見れなかった。
【０００８】
本発明は、上述したような問題点を解消するために構成されたもので、複数の表示画面を用いず少ない部材で、アングル撮影時の利便性を維持したまま撮影者側と被写体側の双方から撮影状態を見れるように前後の視認性を向上し、且つ大画面で見やすい液晶表示部を有するデジタルカメラを提供することにある。
【課題を解決するための手段】
【０００９】
本発明の折畳み／展開可能式バリアングル機構付き液晶付きデジタルカメラは、撮像した静止画像及び或いは動画像を記録媒体に記録及び再生表示するデジタルカメラであって、撮像手段と、画像処理手段と、記録手段と、制御手段と、操作手段と、折畳み／展開可能式バリアングル機構付き表示手段と、前記表示手段のポジションを検出する検出手段を有し、前記検出手段で検出された前記表示手段のポジションにより、表示方法を切り替えることを特徴としている。
【００１０】
また、本発明のその他の特徴とするところは、撮像した静止画像及び或いは動画像を記録媒体に記録及び再生表示するデジタルカメラであって、撮像手段と、画像処理手段と、記録手段と、制御手段と、操作手段と、折畳み／展開可能式バリアングル機構付き表示手段と、前記表示手段のポジションを検出する検出手段を有し、前記検出手段で検出された前記表示手段のポジションにより、表示手段への駆動方法を切り替えることを特徴としている。
【００１１】
また、本発明のその他の特徴とするところは、前記検出手段は、表示手段の開閉検出、表示手段の折り畳み状態か展開状態検出、表示手段のアングルを検出することを特徴としている。
【００１２】
また、本発明のその他の特徴とするところは、前記表示手段は、前記検出手段の開閉検出が、閉状態で、折り畳み状態か展開状態検出が折り畳み状態を検出すると、表示手段の画面表示を２分割画面表示にし、片側を黒画像状態、もう一方を画像表示状態に表示方法と駆動方法を切り替えることを特徴としている。
【００１３】
また、本発明のその他の特徴とするところは、前記表示手段は、前記検出手段の開閉検出が、開状態で、折り畳み状態か展開状態検出が折り畳み状態を検出すると、表示手段の画面表示を２分割画面表示にし、分割された２画面に対し、同一画像表示状態に表示方法と駆動方法を切り替えることを特徴としている。
【００１４】
また、本発明のその他の特徴とするところは、前記表示手段は、前記検出手段の開閉検出が、開状態で、折り畳み状態か展開状態検出が展開状態を検出すると、１画面表示にし、表示領域に全域を画像表示状態に表示方法と駆動方法を切り替えることを特徴としている。
【００１５】
また、本発明のその他の特徴とするところは、前記表示手段は、前記２分割を行なった表示と前記1画面表示のアスペクト比をどちらか、一方のアスペクト比に合わせることを特徴としている。
【００１６】
また、本発明のその他の特徴とするところは、前記表示手段は、表示機能を備えた、電子ペーパであることを特徴としている。
【発明の効果】
【００１７】
折畳み／展開可能式液晶表示部をバリアングル機構にすることで、複数の表示画面を用いず少ない部材で、アングル撮影時の利便性を維持したまま撮影者側と被写体側の双方から撮影状態を見れるように前後の視認性を向上と大画面で見やすい液晶表示部の両方に対応できる。
【発明を実施するための最良の形態】
【００１８】
以下、本発明の実施の形態について、図面を参照して説明する。
【００１９】
図１に、本実施例のデジタルカメラの概要構成図を示す。
【００２０】
図１において、１は、デジタルカメラ本体、２は、本体電源を入り切りする本体電源スイッチ、３は、撮影モード・再生モードを切り替えるモードＳＷである。４は、ズーム操作を行うズームＳＷ、５は、撮影時に使用するレリーズスイッチ、６は、撮影画像表示・シャッター速度や絞り数値撮影枚数及び、メニュー等を表示する電子ペーパを用いた折畳み／展開式バリアングル機構を有する液晶表示パネルである。尚本実施例では、電子ペーパを用いているが、折り畳み又は、折り曲げ可能な表示手段であれば、他のものを用いても構わない。７は、メニューに入る為のメニューＫＥＹである。８は、メニューを操作する十字操作ＫＥＹである。
【００２１】
図２は、図１に示すデジタルカメラの制御部の構成を示すブロック図である。図中、１１は、デジタルカメラ１を動作させる為、デジタルカメラ本体に電圧供給する電源供給部、１２は、デジタルカメラ全体を制御するためのＣＰＵ、１３は、画像を撮像する為のＣＣＤを含む撮像部、１４は、撮像した画像を処理する画像処理部、１５は、画像データを記憶する記憶部、１６は、撮影画像表示及びデジタルカメラ本体の状態を外部に知らせる為の折畳み／展開可能式バリアングル機構を有する液晶パネル表示部、１７は、１６液晶パネル表示部の位置を検出する液晶パネル位置検出部、１７１は、液晶パネル表示部の開閉を検出する液晶パネル開閉検出ＳＷ、１７２は、液晶パネル表示部のアングルを検出する液晶パネルアングル検出ＳＷ、１７３は、液晶パネル表示部の折り畳み展開／部の開閉を検出する液晶パネル折り畳み／展開開閉検出ＳＷ、１８は、装置への操作を行う操作部である。
【００２２】
なお、図２には示されていないが、ＣＰＵ１２には、前記図１におけるデジタルカメラの撮影及び再生に必要な諸々の回路等がさらに接続されており、ＣＰＵ１２は、不図示のＲＯＭに格納された所定のプログラムに従って動作制御する。
【００２３】
図３は、図２に示す液晶パネル表示部１６の構成を示すブロック図である。図中１６１は、表示用液晶パネルである。１６２は、送られた画像信号を液晶パネル表示用に画像処理を行う画像処理回路部である。１６３は、液晶パネルへの駆動及び制御を行う駆動制御回路部である。１６４は、画像処理回路部１６２のタイミング生成及び液晶パネル駆動回路部１６３用タイミング生成を行うタイミング制御回路部である。
【００２４】
図４は、図３に示す画像処理回路部１６２の構成を示すブロック図である。図中１６２１は、撮像部１３で撮像された画像を画像処理部１４で処理した画像信号（Ｒ・Ｇ・Ｂ信号）を所定のレベルにクランプするクランプ回路である。なお、本実施の形態では、Ｒ・Ｇ・Ｂ信号を画像処理回路部１６２に入力しているが、コンポジットビデオ信号または、輝度信号＋色差信号を入力しても良い。また、本実施形態のようにアナログ画像信号を画像処理回路部１６２に入力しているが、デジタル画像信号を入力しても良い。１６２２は、不要周波数帯域信号を落とすフィルタ回路である。１６２３は、諧調レベルを補正するγ補正回路である。１６２４は、駆動制御回路部１６３に与える画像信号を所定の値に設定する為のアンプ回路である。１６２５は、駆動制御回路部１６３に与える画像信号を所定のタイミングでサンプルホールドを行うサンプルホールド回路部である。１６２６は、駆動制御回路部に渡すためのバッファ処理を行うバッファ回路である。
【００２５】
以上の構成を有するデジタルカメラにおける液晶表示について図５に示すフローチャートを参考に説明する。
【００２６】
ステップＳ１０１において、液晶表示モードを検出し液晶表示モードにする。ステップ１０２にて、液晶パネル開閉検出ＳＷ開閉検出を行う。液晶パネル開閉検出ＳＷが閉じているのを検出すると、スッテップＳ１１２に進み、液晶パネルへの画像信号を図６（ａ）のように入力し液晶パネル駆動を正転で駆動し図７（ａ）の表示を行なう。尚、本実施例では、液晶パネル開閉検出ＳＷの開閉を検出しているが、角度を検出するＳＷを用いて任意の角度によって検出位置を変えても良い。ステップ１０２にて、液晶パネル開閉検出ＳＷが開を検出すると、ステップ１０３に進み、液晶パネル折り畳み／展開開閉検出ＳＷの検出を行なう。液晶パネル折り畳み／展開開閉検出ＳＷが閉を検出されると、ステップＳ１０４へ進み、メニュー内の表示画面設定の設定を確認し、表示画面設定が、片面を選択している場合、ステップＳ１０７に進み、液晶パネルへの画像信号を図６（ｂ）のように入力し液晶パネル駆動を正転で駆動し図７（ｂ）の表示を行なう。メニュー内の表示画面設定の設定が、両面設定になっている場合、スッテップＳ１０６へ進み、メニュー内の鏡像反転有無が無しの場合、ステップ１１０に進み、液晶パネルへの画像信号を図６（ｃ）のように入力し液晶パネル駆動を正転で駆動し図７（ｃ）の両面表示を行なう。メニュー内の鏡像反転有無が有りの場合、ステップ１１１に進み、液晶パネルへの画像信号を図６（ｄ）のように入力し液晶パネル駆動を正転で駆動し図７（ｄ）の被写体を鏡像反転した表示を行なう。尚、本実施例では、液晶パネル折り畳み／展開開閉検出ＳＷの開閉を検出しているが、液晶パネル開閉検出ＳＷと同様に角度を検出するＳＷを用いて任意の角度によって検出位置を変えても良い。ステップ１０３にて、液晶パネル折り畳み／展開開閉検出ＳＷが開を検出されると、ステップＳ１０５に進み、液晶パネルアングル検出ＳＷの検出がＯＮ状態の場合、ステップＳ１０８に進み、液晶パネルへの画像信号を図６（ｅ）のように入力し液晶パネル駆動を正転で駆動し図７（ｅ）の全画面表示を行なう。この際、図７（e）の状態と、図７（a）の表示状態で、メニュー内の設定で、どちらか一方のアスペクト比に合わせて表示する。本実施例では、メニュー設定により、アスペクト比を設定しているが、自動であわせても構わない。次に、ステップＳ１０５にて、液晶パネルアングル検出ＳＷの検出がＯｆｆ状態の場合、ステップＳ１０９に進み、液晶パネルへの画像信号を図６（ｆ）のように入力し液晶パネル駆動を上下左右反転で駆動し図７（ｆ）の全画面表示を行なう。
【図面の簡単な説明】
【００２７】
【図１】本発明の第一の実施形態に係るデジタルカメラの構成概要図。
【図２】図１デジタルカメラの制御部のブロック図。
【図３】液晶パネル表示回路のブロック図。
【図４】液晶パネル表示用画像処理回路部のブロック図。
【図５】液晶パネル表示シーケンスフローチャート。
【図６】液晶パネル表示回路への画像信号。
【図７】折畳み／展開式液晶表示パネルの表示状態。
【符号の説明】
【００２８】
１  デジタルカメラ本体
２  電源ＳＷ
３  モードＳＷ
４  ズームレバー
５  レリーズスイッチ
６  折畳み／展開式バリアングル機構を有する液晶表示パネル
７  メニューＫＥＹ
８  十字操作ＫＥＹ
１１  電源供給部
１２  ＣＰＵ
１３  撮像部
１４  画像処理部
１５  記憶部
１６  液晶パネル表示部
１６１  液晶パネル
１６２  画像処理回路部
１６３  駆動制御回路部
１６４  タイミング制御回路部
１７  階調検出部
１８  外部インターフェース部
１９  操作部
【図１】
2009089328.tif 000003
【図２】
2009089328.tif 000004
【図３】
2009089328.tif 000005
【図４】
2009089328.tif 000006
【図５】
2009089328.tif 000007
【図６】
2009089328.tif 000008
【図７】
2009089328.tif 000009